(57)【要約】【課題】保護シートの周縁部を固定することが可能な保護シート等を提供する。【解決手段】保護シート３０の周縁部には、平面視（ＸＹ面）において当該保護シート３０が表示領域Ｒｇ１および周辺領域Ｒｇ２を覆うように、当該保護シート３０を表示モジュール１００に固定するための固定部が存在する。【選択図】図４
2018072661.tif 000002
【特許請求の範囲】
【請求項１】
映像を表示するための表示領域を有する表示モジュールの当該表示領域と、当該表示領域を囲む領域である周辺領域とを覆うための保護シートであって、
前記保護シートの周縁部には、平面視において当該保護シートが前記表示領域および前記周辺領域を覆うように、当該保護シートを前記表示モジュールに固定するための固定部が存在する
保護シート。
【請求項２】
前記固定部は、切り欠きであり、
前記保護シートは、前記切り欠きに接する、当該保護シートの端部である切り欠き側端部を有し、
前記保護シートの前記切り欠き側端部には、平面視において粘着テープが前記切り欠きを覆うように、当該粘着テープが貼り付けられており、
前記粘着テープのうち、前記切り欠きを覆う部分は、当該切り欠きを介して、前記表示モジュールに貼り付けられている
請求項１に記載の保護シート。
【請求項３】
前記保護シートの前記切り欠き側端部は、当該切り欠き側端部に前記粘着テープが貼り付けられるための目印となる部分である目印部を有する
請求項２に記載の保護シート。
【請求項４】
平面視において、前記目印部は、前記切り欠きに向かって突出している
請求項３に記載の保護シート。
【請求項５】
平面視において、前記保護シートのサイズは、前記表示モジュールの外郭のサイズと同じである
請求項１から４のいずれか１項に記載の保護シート。
【請求項６】
前記保護シートの前記切り欠き側端部は、平面視において、前記表示モジュールの外郭よりも外側に存在する部分である外側部を有する
請求項１から４のいずれか１項に記載の保護シート。
【請求項７】
前記固定部は、前記保護シートの周縁部の一部である保持部であり、
前記保持部は、前記表示モジュールの側面を保持する
請求項１に記載の保護シート。
【請求項８】
請求項１から７のいずれか１項に記載の前記保護シートと、
前記保護シートにより前記表示領域および前記周辺領域が覆われている前記表示モジュールと、を備える
表示装置。
【発明の詳細な説明】
【技術分野】
【０００１】
本発明は、映像を表示する面を保護する構成を有する保護シートおよび表示装置に関する。
【背景技術】
【０００２】
映像を表示する表示装置には、例えば、液晶表示装置等が存在する。一般的な液晶表示装置は、フレームと、液晶表示パネルと、光源装置とを備える。フレームは、液晶表示パネルおよび光源装置を保持する。光源装置は、光を出射する。液晶表示パネルは、光源装置が出射する光を利用して映像を表示する。液晶表示パネルは、一対の基板と、液晶と、当該一対の基板を挟むように設けられた偏光板などからなる。当該液晶は、一対の基板に挟まれている。
【０００３】
なお、液晶表示装置には、タッチパネル、保護板等をさらに備えるものもある。以下においては、液晶表示装置が有する、映像を表示するための面を、「表示面」ともいう。また、以下においては、液晶表示装置の表示面側に存在する、最も外側の部材を、「外側部材」ともいう。外側部材は、例えば、液晶表示パネル、タッチパネル、保護板等である。外側部材は、保護シートに覆われる。これにより、外側部材に傷がつくこと、外側部材に汚れが付着すること等を防ぐことができる。
【０００４】
特許文献１は、電子機器の表示画面を、保護シートで覆う技術（以下、「関連技術Ａ」ともいう。）を開示している。以下においては、保護シートを固定する対象となる部材を、「固定対象部材」ともいう。関連技術Ａにおける固定対象部材は、例えば、電子機器の表示画面である。
【０００５】
また、以下においては、保護シートを固定対象部材に固定するための、当該保護シートに存在する構成または部材を、「固定部」ともいう。関連技術Ａにおける固定部は、粘着テープで覆われるための孔である。関連技術Ａでは、粘着テープの一部が、孔を介して、固定対象部材（表示画面）に固定される。
【先行技術文献】
【特許文献】
【０００６】
【特許文献１】特開２００２−２９７０４１号公報
【発明の概要】
【発明が解決しようとする課題】
【０００７】
関連技術Ａでは、保護シートの中央部に、固定部が設けられている。そのため、保護シートの周縁部が、固定対象部材に固定されないという問題点がある。
【０００８】
本発明は、このような問題を解決するためになされたものであり、保護シートの周縁部を固定することが可能な保護シート等を提供することを目的とする。
【課題を解決するための手段】
【０００９】
上記目的を達成するために、本発明の一態様に係る保護シートは、映像を表示するための表示領域を有する表示モジュールの当該表示領域と、当該表示領域を囲む領域である周辺領域とを覆うためのシートである。前記保護シートの周縁部には、平面視において当該保護シートが前記表示領域および前記周辺領域を覆うように、当該保護シートを前記表示モジュールに固定するための固定部が存在する。
【発明の効果】
【００１０】
本発明によれば、前記保護シートの周縁部には、平面視において当該保護シートが前記表示領域および前記周辺領域を覆うように、当該保護シートを前記表示モジュールに固定するための固定部が存在する。
【００１１】
これにより、保護シートの周縁部を表示モジュールに固定することができる。
【図面の簡単な説明】
【００１２】
【図１】本発明の実施の形態１に係る表示装置の分解斜視図である。
【図２】本発明の実施の形態１に係る表示パネルの平面図である。
【図３】本発明の実施の形態１に係る表示モジュールの平面図である。
【図４】本発明の実施の形態１に係る表示装置の平面図である。
【図５】図４のＡ１−Ａ２線に沿った表示装置の断面図である。
【図６】表示モジュールが保護板を備えない構成を説明するための図である。
【図７】本発明の実施の形態１の変形例１に係る表示装置を示す平面図である。
【図８】本発明の実施の形態１の変形例２に係る表示装置を示す平面図である。
【図９】本発明の実施の形態１の変形例３に係る表示装置を示す平面図である。
【図１０】本発明の実施の形態２に係る表示装置の構成を示す図である。
【発明を実施するための形態】
【００１３】
以下、図面を参照しつつ、本発明の実施の形態について説明する。以下の図面では、同一の各構成要素には同一の符号を付してある。同一の符号が付されている各構成要素の名称および機能は同じである。したがって、同一の符号が付されている各構成要素の一部についての詳細な説明を省略する場合がある。
【００１４】
なお、実施の形態において例示される各構成要素の寸法、材質、形状、当該各構成要素の相対配置などは、本発明が適用される装置の構成、各種条件等により適宜変更されてもよい。また、各図における各構成要素の寸法は、実際の寸法と異なる場合がある。
【００１５】
＜実施の形態１＞
（表示装置の全体の構成）
図１は、本発明の実施の形態１に係る表示装置２００の分解斜視図である。表示装置２００は、例えば、液晶を利用して映像を表示する液晶表示装置である。なお、表示装置２００は、液晶表示装置に限定されず、他の方式の表示装置であってもよい。表示装置２００は、例えば、有機ＥＬ（Electroluminescence）ディスプレイであってもよい。
【００１６】
図１において、Ｘ方向、Ｙ方向およびＺ方向の各々は、互いに直交する。以下の図に示されるＸ方向、Ｙ方向およびＺ方向の各々も、互いに直交する。以下においては、Ｘ方向と、当該Ｘ方向の反対の方向（−Ｘ方向）とを含む方向を「Ｘ軸方向」ともいう。また、以下においては、Ｙ方向と、当該Ｙ方向の反対の方向（−Ｙ方向）とを含む方向を「Ｙ軸方向」ともいう。また、以下においては、Ｚ方向と、当該Ｚ方向の反対の方向（−Ｚ方向）とを含む方向を「Ｚ軸方向」ともいう。
【００１７】
また、以下においては、Ｘ軸方向およびＹ軸方向を含む平面を、「ＸＹ面」ともいう。また、以下においては、Ｘ軸方向およびＺ軸方向を含む平面を、「ＸＺ面」ともいう。また、以下においては、Ｙ軸方向およびＺ軸方向を含む平面を、「ＹＺ面」ともいう。
【００１８】
図１を参照して、表示装置２００は、保護シート３０と、表示モジュール１００とを備える。表示モジュール１００は、映像を表示するモジュールである。保護シート３０は、表示モジュール１００を保護するためのシートである。表示モジュール１００は、光源装置５と、表示パネル１１と、保護板１２とを備える。なお、表示モジュール１００は、保護板１２を備えなくてもよい。
【００１９】
なお、表示モジュール１００が、開口を有するフロントフレーム（図示せず）を備える構成（以下、「構成Ｃｔｆ」ともいう）としてもよい。構成Ｃｔｆでは、フロントフレームは、ツメ状の固定構造、ネジ止め構造等により、表示パネル１１および光源装置５を保持する。構成Ｃｔｆでは、表示モジュール１００は、保護板１２を備えない。
【００２０】
光源装置５は、面状の形状を有する面状光源装置である。光源装置５は、光学シート部、中間フレーム、リアフレーム等を含む。
【００２１】
表示パネル１１は、詳細は後述するが、光源装置５が出射する光を使用して映像を表示する。表示パネル１１は、例えば、液晶表示パネルである。なお、表示パネル１１は、液晶表示パネルに限定されず、他の方式の表示パネルであってもよい。
【００２２】
図２は、本発明の実施の形態１に係る表示パネル１１の平面図である。図２を参照して、表示パネル１１は、表示領域Ｒｇ１と周辺領域Ｒｇ２とを有する。表示領域Ｒｇ１は、表示パネル１１（表示モジュール１００）が、映像を表示するための領域である。
【００２３】
周辺領域Ｒｇ２は、平面視（ＸＹ面）において、表示領域Ｒｇ１の周辺に設けられている。具体的には、周辺領域Ｒｇ２は、平面視（ＸＹ面）において、表示領域Ｒｇ１を囲む領域である。平面視（ＸＹ面）における周辺領域Ｒｇ２の形状は、閉ループ状である。周辺領域Ｒｇ２は、映像が表示されない領域（以下、「非表示領域」ともいう）である。
【００２４】
なお、表示領域Ｒｇ１および周辺領域Ｒｇ２は、表示パネル１１を含む表示モジュール１００におけるＸＹ面、ＸＺ面およびＹＺ面に対しても、表示パネル１１と同様に適用される。
【００２５】
保護板１２は、透光性を有する透明材料で構成される。保護板１２は、表示パネル１１の表示領域Ｒｇ１および周辺領域Ｒｇ２を覆う。
【００２６】
図３は、本発明の実施の形態１に係る表示モジュール１００の平面図である。図３では、透明材料で構成される保護板１２については、当該保護板１２の輪郭のみが示される。前述したように、表示領域Ｒｇ１および周辺領域Ｒｇ２は、表示モジュール１００におけるＸＹ面、ＸＺ面およびＹＺ面に対しても、表示パネル１１と同様に適用される。そのため、表示モジュール１００は、表示パネル１１と同様に、表示領域Ｒｇ１と周辺領域Ｒｇ２とを有する。
【００２７】
次に、表示装置２００を構成する上記各部材についてさらに詳細に説明する。
【００２８】
（表示パネル）
表示パネル１１は、前述したように、液晶表示パネルである。液晶表示パネルは、液晶材料の複屈折性を応用したパネルである。液晶表示パネルは、カラーフィルター基板と、ＴＦＴ基板と、スペーサーと、シール材と、液晶層と、配向膜と、偏光板とを含む。
【００２９】
カラーフィルター基板は、基板上に、カラーフィルター、遮光層等が形成されたものである。ＴＦＴ基板は、別の基板上に、薄型トランジスタ、画素電極等が形成されたものである。以下においては、薄型トランジスタを、「ＴＦＴ（Thin Film Transistor）」ともいう。ＴＦＴは、スイッチング素子である。
【００３０】
カラーフィルター基板およびＴＦＴ基板は、対向するように設けられる。スペーサーは、カラーフィルター基板とＴＦＴ基板との間に、所定の間隔を生成するように設けられる。シール材は、カラーフィルター基板およびＴＦＴ基板を、互いに張り合わせるための部材である。液晶層は、カラーフィルター基板とＴＦＴ基板とにより挟持される。配向膜は、液晶層を構成する液晶を配向させるための膜である。
【００３１】
液晶表示パネルは、スイッチング素子（ＴＦＴ）をオン状態又はオフ状態に変化させることにより液晶層の液晶の配向を制御する。そして、液晶表示パネルは、当該液晶表示パネルに入射された光を、映像信号に合わせて変調する。これにより、液晶表示パネルは、映像の表示を行なう。
【００３２】
液晶表示パネルの駆動方式は、例えば、ＴＮ（Twisted Nematic）方式、ＩＰＳ（In Plane Switching）方式、ＦＦＳ（Fringe Field Switching）方式等である。ＴＮ方式は、カラーフィルター基板およびＴＦＴ基板に対して略垂直方向に伝搬する電界を液晶層に印加することにより、映像を表示する方式である。ＩＰＳ方式は、ＴＦＴ基板にスイッチング素子および対向電極が設けられた構成において、横方向または斜め方向に伝搬する電界を液晶層に印加する方式である。
【００３３】
なお、表示パネル１１は、液晶表示パネルに限定されず、例えば、文字、絵等が透明板に印刷されたパネル等であってもよい。
【００３４】
（光源装置）
光源装置５は、光源と、光源基板と、導光板と、光学シート部と、反射シートと、リアフレームとを含む。なお、光源装置５は、リアフレームを含まなくてもよい。
【００３５】
光源は、光を出射する。光源基板は、光源が設けられた基板である。導光板は、光源が出射した光を特定の方向へ導く。導光板は、光を光学シート部へ導くための部材である。導光板は、出射面と、反出射面とを有する。出射面は、光が出射される面である。反出射面は、導光板のうち出射面と反対側の面である。
【００３６】
光源が出射する光は導光板に入射し、当該導光板に入射した光の大部分は、当該導光板の出射面からＺ方向へ出射される。これにより、導光板は、面状の光を出射する。なお、導光板に入射した光の一部は、−Ｚ方向へ出射される。
【００３７】
光学シート部は、導光板の出射面上に設けられる。光学シート部は、複数の光学シートから構成される。光学シート部は、導光板から出射された光の分布および広がりを制御する。
【００３８】
反射シートは、導光板の反出射面側に設けられる。反射シートは、光を反射させるシートである。反射シートの存在により、導光板から−Ｚ方向へ出射した光は、反射シートに反射して、再び、導光板に入射する。
【００３９】
リアフレームは、光源、導光板、光学シート部、反射シート等を保持する。
【００４０】
なお、光源装置５は、中間フレームをさらに含んでもよい。以下においては、光源装置５が中間フレームを含む構成を、「構成Ｃｔｍ」ともいう。
【００４１】
（導光板）
導光板は、透明材料により構成されている。当該透明材料は、アクリル樹脂、ポリカーボネート樹脂、ガラス等である。また、導光板の反出射面には、光散乱部が形成されている。当該光散乱部は、出射面から光が出射されるように、導光板に入射された光の伝播方向を乱す構造を有する。
【００４２】
光散乱部は、光を導光板の内部に向かって反射させる反射手段として機能する。当該反射手段は、例えば、反出射面にドットを印刷することにより構成される。また、反射手段は、例えば、反出射面を粗面化してシボ面を形成することにより構成される。また、反射手段は、例えば、反出射面に、微小な球面、凸凹等を形成することにより構成される。
【００４３】
（光学シート部）
光学シート部は、前述したように、複数の光学シートから構成される。光学シート部は、例えば、光学シートである、レンズシート、拡散シート等を組合せて構成される。なお、光学シート部は、レンズシートを拡散シートで挟み込むことにより構成されてもよい。
【００４４】
また、輝度向上のために、光学シート部は、プリズムの方向を最適に組み合わせた複数のレンズシートで構成されてもよい。また、光学シート部は、光の拡散性を向上させるために、２枚以上の拡散シートで構成されてもよい。光学シート部は、所望の明るさ、所望の視野角等を得るために選定された複数の光学シートが、適切な順番で配置されることにより構成される。
【００４５】
（反射シート）
反射シートは、例えば、ポリエチレン（polyethylene）またはポリエチレンテレフタレート（polyethylene terephthalate）に、硫酸バリウムまたは酸化チタンを混ぜ合わせた材料で構成される。
【００４６】
なお、反射シートは、例えば、樹脂に微細な気泡を形成した材料で構成されてもよい。また、反射シートは、例えば、金属板に銀を蒸着した材料で構成されてもよい。また、反射シートは、例えば、金属板に、酸化チタンを含む塗料を塗布した材料で構成されてもよい。
【００４７】
反射シートの反射率は、反射面での反射ロスを抑えるために、９０％以上であることが望ましい。そのため、反射シートは、例えば、鏡面反射を実現するための材料で構成されてもよい。反射シートの存在により、導光板から−Ｚ方向へ出射した光は、反射シートに反射して、再び、導光板に入射する。そのため、光の利用効率を向上させることができる。
【００４８】
（リアフレーム）
リアフレームの形状は、底を有し、蓋が存在しない箱形状である。リアフレームは、主として、光源、光源基板、導光板、光学シート部、反射シート等を収容する。リアフレームは、一例として、光源基板の光源から放出される熱を伝導させるために、熱伝導性が高い金属で構成されてもよい。当該熱伝導性が高い金属は、例えば、アルミ、アルミ合金等である。熱伝導性が高い金属で構成されるリアフレームは、光源基板の光源からの熱を効率よく放熱する。これにより、光源装置５に熱がこもるのを防止することができる。
【００４９】
（中間フレーム）
前述の構成Ｃｔｍでは、中間フレームは、導光板の出射面からの光を通過させるための開口部を有する。構成Ｃｔｍでは、中間フレームの上面には、表示パネル１１が搭載される。すなわち、表示パネル１１は、中間フレームに保持される。
【００５０】
中間フレームは、金属で構成される。当該金属は、アルミニウム、ステンレス、鉄等である。なお、中間フレームは、樹脂で構成されてもよい。当該樹脂は、ＰＣ（Polycarbonate：ポリカーボネート）、ＡＢＳ（Acrylonitrile Butadiene Styrene：アクリロニトリルブタジエンスチレン）等である。
【００５１】
リアフレームは、一般に、ツメ状の固定構造、ネジ止め構造等により、中間フレームに固定される。ツメ状の固定構造とは、リアフレームおよび中間フレームの各々に設けられたツメ状の突起部が、互いに係合する構造である。リアフレームおよび中間フレームにより、光源、光源基板、導光板、光学シート部、反射シート等が保持される。
【００５２】
（フロントフレーム）
前述の構成Ｃｔｆでは、フロントフレームは、表示パネル１１および光源装置５を保持する。フロントフレームは、薄板の金属、樹脂成型品等により構成される。構成Ｃｔｆでは、フロントフレームは、ツメ状の固定構造、ネジ止め構造等により、光源装置５に固定される。フロントフレームは、１つの部材で形成される。
【００５３】
なお、フロントフレームは、複数の部材を組み合わせることにより構成されてもよい。また、フロントフレームには、側面、正面、背面、周縁部等に、取り付け部（ネジ、取付穴等）が設けられてもよい。当該取り付け部は、例えば、表示モジュール１００の筐体（図示せず）に取付けられる部分である。
【００５４】
（保護板）
保護板１２は、透光性を有する透明材料で構成される。当該透明材料は、例えば、ガラス、樹脂等である。保護板１２は、タッチパネルの機能を有してもよい。平面視（ＸＹ面）における保護板１２の形状は、矩形である。なお、平面視（ＸＹ面）における保護板１２の形状は、例えば、矩形以外の形状であってもよい。
【００５５】
（保護シート）
保護シート３０は、透光性を有する透明材料で構成される。保護シート３０は、例えば、ポリエチレンテレフタレート（ＰＥＴ）などの樹脂材料で構成される。平面視（ＸＹ面）における保護シート３０の形状は、略矩形である。なお、平面視（ＸＹ面）における保護シート３０の形状は、略矩形以外の形状であってもよい。
【００５６】
（特徴的な構成）
次に、本実施の形態の特徴的な構成について説明する。図４は、本発明の実施の形態１に係る表示装置２００の平面図である。図４では、透明材料で構成される保護シート３０は、当該保護シート３０全体が透明な状態で、表現されている。すなわち、図４では、透明材料で構成される保護シート３０については、当該保護シート３０の輪郭のみが示される。そのため、図４では、表示モジュール１００（表示パネル１１）の表示領域Ｒｇ１および周辺領域Ｒｇ２も示されている。
【００５７】
なお、表示領域Ｒｇ１および周辺領域Ｒｇ２は、表示モジュール１００に含まれる保護板１２におけるＸＹ面、ＸＺ面およびＹＺ面に対しても、表示パネル１１と同様に適用される。そのため、保護板１２は、表示パネル１１と同様に、表示領域Ｒｇ１と周辺領域Ｒｇ２とを有する。
【００５８】
保護シート３０のＸ軸方向のサイズは、保護板１２のＸ軸方向のサイズと同じである。また、保護シート３０のＹ軸方向のサイズは、保護板１２のＹ軸方向のサイズと同じである。すなわち、平面視（ＸＹ面）において、保護シート３０のサイズは、保護板１２のサイズと同じである。
【００５９】
なお、「保護シート３０のサイズは、保護板１２のサイズと同じである」という表現は、「保護シート３０のサイズが保護板１２のサイズと同等である」という意味も含む。例えば、保護シート３０のサイズは、例えば、保護板１２のサイズの０．８倍から１．２倍の範囲のサイズであってもよい。
【００６０】
平面視（ＸＹ面）における保護板１２のサイズとは、平面視（ＸＹ面）における、保護板１２（表示モジュール１００）の外郭のサイズのことである。そのため、平面視（ＸＹ面）において、保護シート３０のサイズは、表示モジュール１００の外郭のサイズと同じである。なお、「保護シート３０のサイズは、表示モジュール１００の外郭のサイズと同じである」という表現は、「保護シート３０のサイズは、表示モジュール１００の外郭のサイズと同等である」という意味も含む。例えば、保護シート３０のサイズは、例えば、表示モジュール１００の外郭のサイズの０．８倍から１．２倍の範囲のサイズであってもよい。
【００６１】
図５は、図４のＡ１−Ａ２線に沿った表示装置２００の断面図である。本実施の形態では、図５のように、表示パネル１１上に保護板１２が設けられる。保護板１２により、表示パネル１１の表面は保護される。
【００６２】
以下においては、表示モジュール１００において、映像を表示するための面を、「表示面」ともいう。また、以下においては、表示モジュール１００の表示面側に存在する、最も外側の部材を、「外側部材」ともいう。表示パネル１１が表示した映像は、外側部材にも表示される。すなわち、外側部材は、表示面を有する。図５に示すように、本実施の形態における外側部材は、保護板１２である。
【００６３】
なお、保護板１２の周辺領域Ｒｇ２に、開口を有する黒枠を設ける構成（以下、「構成Ｃｔ１ｗ」ともいう）としてもよい。黒枠は、例えば、シール、塗料等で構成される。構成Ｃｔ１ｗにおいて、当該開口は、保護板１２の表示領域Ｒｇ１を露出させるためのものである。黒枠の形状は、閉ループ状である。
【００６４】
また、以下においては、表示モジュール１００の前面の意匠の役割を有する部材を、「前面意匠部材」ともいう。構成Ｃｔ１ｗでは、表示モジュール１００の外側部材（保護板１２）が、前面意匠部材である。構成Ｃｔ１ｗでは、周辺領域Ｒｇ２に黒枠が設けられた保護板１２は、表示モジュール１００の前面の意匠としての役割を有する。そのため、構成Ｃｔ１ｗでは、平面視（ＸＹ面）において、保護シート３０が、黒枠と、保護板１２の表示領域Ｒｇ１とを覆うように、当該保護シート３０が設けられる。
【００６５】
なお、外側部材としての保護板１２に黒枠が設けられていない状態においても、当該保護板１２は、前面意匠部材としての役割を有する。
【００６６】
保護シート３０は、表示モジュール１００の前面意匠部材（外側部材）の表面を覆うためのシートである。具体的には、保護シート３０は、表示モジュール１００の表示領域Ｒｇ１と、表示モジュール１００の周辺領域Ｒｇ２とを覆うためのシートである。詳細は後述するが、保護シート３０は、粘着テープ４により、表示モジュール１００に貼り付けられる。粘着テープ４は、図１のように、主面４ａと、粘着面４ｂとを有する。粘着面４ｂ全体には、粘着剤が設けられている。
【００６７】
図１、図４および図５を参照して、保護シート３０の周縁部には、切り欠きＶ１が存在する。「保護シート３０の周縁部」とは、保護シート３０のうち、表示領域Ｒｇ１を覆う部分を、囲む部分に相当する。そのため、切り欠きＶ１は、平面視（ＸＹ面）において、保護シート３０のうち、表示領域Ｒｇ１と重ならない部分に存在する。平面視における、保護シート３０の周縁部の形状は、閉ループ状である。
【００６８】
また、平面視（ＸＹ面）において、粘着テープ４のサイズは、切り欠きＶ１のサイズより大きい。
【００６９】
以下においては、切り欠きＶ１に接する、保護シート３０の端部を、「切り欠き側端部Ｅｄ１」ともいう。すなわち、保護シート３０は、切り欠き側端部Ｅｄ１を有する。図４のように、切り欠き側端部Ｅｄ１は、保護シート３０のうち、切り欠きＶ１の周辺の部分である。また、切り欠きＶ１は、平面視（ＸＹ面）において、保護シート３０のうち、表示領域Ｒｇ１と重ならない部分に存在する。
【００７０】
図４に示すように、平面視（ＸＹ面）における切り欠き側端部Ｅｄ１の形状は、例えば、コの字状である。
【００７１】
なお、本実施の形態では、図１および図４のように、保護シート３０の周縁部には、２個の切り欠きＶ１が存在する。
【００７２】
保護シート３０の切り欠き側端部Ｅｄ１には、切り欠きＶ１が存在する。また、切り欠き側端部Ｅｄ１には、平面視（ＸＹ面）において粘着テープ４が切り欠きＶ１を覆うように、当該粘着テープ４が貼り付けられている。すなわち、切り欠き側端部Ｅｄ１には、粘着テープ４が切り欠きＶ１全体を覆うように、当該粘着テープ４が貼り付けられている。
【００７３】
なお、粘着テープ４が貼り付けられる領域は、切り欠き側端部Ｅｄ１の全体、または、切り欠き側端部Ｅｄ１の一部である。なお、図４は、一例として、切り欠き側端部Ｅｄ１の全体に、粘着テープ４が貼り付けられている状態を示す。
【００７４】
以下においては、粘着テープ４のうち、切り欠きＶ１を覆う部分を、「切り欠き対応部」ともいう。切り欠き対応部は、例えば、図４の粘着テープ４のうち、切り欠きＶ１を覆う部分である。切り欠き対応部は、切り欠きＶ１を介して、表示モジュール１００に貼り付けられている。
【００７５】
具体的には、粘着面４ｂのうち、切り欠き対応部に相当する部分は、切り欠きＶ１を介して、表示モジュール１００（保護板１２）に貼り付けられている。すなわち、保護シート３０は、粘着テープ４および切り欠きＶ１を利用して、表示モジュール１００（保護板１２）に固定されている。そのため、表示装置２００では、平面視（ＸＹ面）において、保護シート３０により、表示モジュール１００の表示領域Ｒｇ１および周辺領域Ｒｇ２が覆われている。
【００７６】
以下においては、平面視（ＸＹ面）において保護シート３０が表示領域Ｒｇ１および周辺領域Ｒｇ２を覆うように、当該保護シート３０を表示モジュール１００に固定するための、当該保護シート３０に存在する構成または部材を、「固定部」ともいう。本実施の形態では、固定部は、切り欠きＶ１である。すなわち、保護シート３０の周縁部には、固定部（切り欠きＶ１）が存在する。
【００７７】
以上説明したように、本実施の形態によれば、保護シート３０の周縁部には、平面視（ＸＹ面）において当該保護シート３０が表示領域Ｒｇ１および周辺領域Ｒｇ２を覆うように、当該保護シート３０を表示モジュール１００に固定するための固定部が存在する。
【００７８】
これにより、保護シート３０の周縁部を表示モジュール１００に固定することができる。
【００７９】
また、本実施の形態では、平面視（ＸＹ面）において、保護シート３０のサイズは、保護板１２（表示モジュール１００）の外郭のサイズと同じである。本実施の形態では、保護シート３０と、粘着テープ４の切り欠き対応部とにより、前面意匠部材である保護板１２の表面全体が覆われる。そのため、前面意匠部材（保護板１２）の表面に傷がつくこと、前面意匠部材（保護板１２）に汚れが付着すること等を防ぐことができる。したがって、表示モジュール１００の前面意匠部材を保護することができる。
【００８０】
また、本実施の形態では、固定部（切り欠きＶ１）は、保護シート３０の周縁部に存在する。そのため、粘着テープ４および切り欠きＶ１を利用して、表示モジュール１００において重要な領域である表示領域Ｒｇ１以外の周辺領域Ｒｇ２に対して、保護シート３０を固定することができる。
【００８１】
したがって、粘着テープ４の粘着剤による不具合が、表示領域Ｒｇ１において発生することを防止することができる。粘着剤による不具合は、例えば、粘着剤がついた部分の表面の特性が変化するという不具合である。
【００８２】
また、切り欠きＶ１は、保護シート３０の周縁部に存在する。そのため、保護シート３０を製造する際の加工の難度は、切り欠きＶ１が存在しない、矩形の従来の保護シートを製造する際の加工の難度と同等である。そのため、当該従来の保護シートの製造コストと同等のコストで、保護シート３０を製造することができる。
【００８３】
ここで、保護シート３０の形状が、保護板１２の形状と同じである構成を仮定する。すなわち、保護シート３０に切り欠きＶ１が存在しない構成を仮定する。当該仮定の構成では、粘着テープ４を折り曲げることにより、表示モジュール１００の側面に、粘着テープ４の一部を貼り付けることができる。
【００８４】
しかしながら、本実施の形態のように、保護シート３０の切り欠きＶ１を利用すれば、保護シート３０を、前面意匠部材に密着して固定することができる。そのため、前面意匠部材を、上記の仮定の構成よりも確実に保護することができる。
【００８５】
また、本実施の形態では、粘着テープ４を折り曲げることなく、当該粘着テープ４の切り欠き対応部が、切り欠きＶ１を介して、前面意匠部材に貼り付けられている。そのため、粘着テープ４をはがす必要が生じた場合において、粘着テープ４を容易にはがすことができる。したがって、保護シート３０の着脱を容易に行うことができる。
【００８６】
なお、保護シート３０を、表示モジュール１００における所定の領域に固定できるのであれば、保護シート３０に存在する切り欠きＶ１の数、および、切り欠きＶ１のサイズは、上記の構成に限定されない。
【００８７】
例えば、保護シート３０に存在する切り欠きＶ１の数は、２に限定されず、１または３以上であってもよい。また、切り欠きＶ１のサイズは、図４に示される切り欠きＶ１のサイズに限定されない。例えば、切り欠きＶ１のサイズは、図４に示される切り欠きＶ１のサイズの０．５倍から２倍の範囲のサイズであってもよい。
【００８８】
また、本実施の形態では、表示モジュール１００の外側部材が保護板１２であるとしたが、これに限定されない。例えば、表示モジュール１００が、保護板１２を備えない構成（以下、「構成Ｃｔ１ｎ」ともいう）としてもよい。図６は、構成Ｃｔ１ｎを説明するための図である。
【００８９】
構成Ｃｔ１ｎでは、表示モジュール１００の外側部材は、表示パネル１１である。外側部材としての表示パネル１１は、前面意匠部材である。構成Ｃｔ１ｎでは、保護シート３０は、粘着テープ４および切り欠きＶ１を利用して、表示モジュール１００（表示パネル１１）に固定される。
【００９０】
構成Ｃｔ１ｎでは、粘着テープ４の切り欠き対応部は、切り欠きＶ１を介して、表示モジュール１００に貼り付けられている。具体的には、粘着面４ｂのうち、切り欠き対応部に相当する部分は、切り欠きＶ１を介して、表示モジュール１００（表示パネル１１）に貼り付けられている。
【００９１】
また、表示モジュール１００が、フロントフレーム（図示せず）を備える構成Ｃｔｆでは、フロントフレームが、前面意匠部材（外側部材）である。フロントフレームの開口が、表示パネル１１の表示領域Ｒｇ１を露出させ、かつ、フロントフレームが表示パネル１１の周辺領域Ｒｇ２を覆うように、フロントフレームは構成される。構成Ｃｔｆでは、保護シート３０は、粘着テープ４および切り欠きＶ１を利用して、表示モジュール１００（フロントフレーム）に固定される。
【００９２】
なお、従来の保護シート（以下、「保護シートＮ」という）は、一般的に、表示モジュールの外郭のサイズより小さく、かつ、表示領域より大きい。そのため、従来では、当該保護シートが表示領域を覆っている状態で、粘着テープにより、当該保護シートの周縁部が、表示モジュールに固定される。
【００９３】
そのため、保護シートＮを利用した固定方法では、表示モジュールの周縁部において、保護シートＮおよび粘着テープにより覆われない部分が存在する。そのため、保護シートＮを利用した固定方法では、表示モジュールの周縁部に傷がつくこと、表示モジュールの周縁部に汚れが付着すること等が発生する可能性がある。
【００９４】
そこで、平面視（ＸＹ面）における、表示モジュールの外郭のサイズと同じサイズを有する保護シートを利用する固定方法が考えられる。しかしながら、当該固定方法では、粘着テープを折り曲げた状態で、当該粘着テープの一端を保護シートに貼り付け、当該粘着テープの他端を表示モジュールの側面に貼り付ける必要がある。当該固定方法では、粘着テープを表示モジュールからはがす必要が生じた場合において、保護シートをはがす作業が煩雑であるという問題がある。
【００９５】
そこで、本実施の形態の保護シート３０は上記のように構成される。そのため、当該保護シート３０、および、当該保護シート３０を備える表示装置２００は、上記の各問題を解決することができる。
【００９６】
＜実施の形態１の変形例１＞
本実施の形態の変形例１の構成は、粘着テープの貼り付けの目印に関する構成（以下、「構成Ｃｔ１Ａ」ともいう）である。以下においては、構成Ｃｔ１Ａを有する表示装置を、「表示装置２００Ａ」ともいう。表示装置２００Ａは、表示装置２００と比較して、保護シート３０の代わりに保護シート３０Ａを備える点が異なる。表示装置２００Ａのそれ以外の構成は、表示装置２００と同様なので詳細な説明は繰り返さない。
【００９７】
図７は、本発明の実施の形態１の変形例１に係る表示装置２００Ａを示す平面図である。なお、図７は、表示モジュール１００の外郭を、点線で示している。
【００９８】
保護シート３０Ａは、図４の保護シート３０と比較して、切り欠き側端部Ｅｄ１が、目印部Ｘ１を有する点が異なる。また、保護シート３０Ａの切り欠きＶ１の形状は、保護シート３０の切り欠きＶ１の形状と異なる。保護シート３０Ａのそれ以外の構成は、保護シート３０と同様なので詳細な説明は繰り返さない。
【００９９】
目印部Ｘ１は、粘着テープ４を、保護シートの所定の領域に貼り付けるための目印となる部分である。以下においては、切り欠きＶ１に接する、保護シート３０Ａの端部を、「切り欠き側端部Ｅｄ１」ともいう。切り欠き側端部Ｅｄ１は、平面視（ＸＹ面）において、保護シート３０Ａのうち、表示領域Ｒｇ１と重ならない部分に存在する。また、目印部Ｘ１は、切り欠き側端部Ｅｄ１に粘着テープ４が貼り付けられるための目印となる部分である。
【０１００】
目印部Ｘ１は、切り欠き側端部Ｅｄ１の一部である。すなわち、保護シート３０Ａの切り欠き側端部Ｅｄ１は、目印部Ｘ１を有する。平面視（ＸＹ面）において、目印部Ｘ１は、切り欠きＶ１に向かって突出している。
【０１０１】
なお、図７は、一例として、保護シート３０Ａに存在する２つの切り欠き側端部Ｅｄ１の各々が、２個の目印部Ｘ１を有する状態を示す。すなわち、図７は、保護シート３０Ａが、４個の目印部Ｘ１を有する状態を示す。
【０１０２】
また、図７は、一例として、各切り欠き側端部Ｅｄ１の一部に、粘着テープ４が貼り付けられている状態を示す。なお、各切り欠き側端部Ｅｄ１全体に、粘着テープ４が貼り付けられてもよい。
【０１０３】
また、表示装置２００Ａでは、平面視（ＸＹ面）において、保護シート３０Ａにより、表示モジュール１００の表示領域Ｒｇ１および周辺領域Ｒｇ２が覆われている。
【０１０４】
以上説明したように、本実施の形態の変形例１によれば、保護シート３０Ａの切り欠き側端部Ｅｄ１が、当該切り欠き側端部Ｅｄ１に粘着テープ４が貼り付けられるための目印となる目印部Ｘ１を有する。そのため、表示装置２００Ａの製造過程において、作業者は、粘着テープ４を、保護シート３０Ａの切り欠き側端部Ｅｄ１に、容易に貼り付けることができる。すなわち、粘着テープ４の貼り付け精度を向上させることができる。
【０１０５】
したがって、表示モジュール１００の前面意匠部材のほぼ全領域を、保護シート３０Ａおよび粘着テープ４で覆うことができる。その結果、表示モジュール１００の前面意匠部材を、より確実に保護することができる。
【０１０６】
なお、目印部Ｘ１の形状は、図７で示した形状に限定されず、他の形状であってもよい。また、保護シート３０Ａに存在する目印部Ｘ１の数は、４に限定されず、１から３、または、５以上であってもよい。
【０１０７】
＜実施の形態１の変形例２＞
本実施の形態の変形例２の構成は、保護シートが、平面視（ＸＹ面）における表示モジュール１００の外郭よりも外側に存在する部分を有する構成（以下、「構成Ｃｔ１Ｂ」ともいう）である。以下においては、構成Ｃｔ１Ｂを有する表示装置を、「表示装置２００Ｂ」ともいう。表示装置２００Ｂは、表示装置２００と比較して、保護シート３０の代わりに保護シート３０Ｂを備える点が異なる。表示装置２００Ｂのそれ以外の構成は、表示装置２００と同様なので詳細な説明は繰り返さない。
【０１０８】
図８は、本発明の実施の形態１の変形例２に係る表示装置２００Ｂを示す平面図である。なお、図８は、表示モジュール１００の外郭を、点線で示している。
【０１０９】
以下においては、平面視（ＸＹ面）において、表示モジュール１００の外郭よりも外側に存在する、保護シートの部分を、「外側部Ｗ１」または「外側部」ともいう。外側部Ｗ１は、平面視（ＸＹ面）において、表示モジュール１００と重ならない部分である。
【０１１０】
保護シート３０Ｂは、図４の保護シート３０と比較して、切り欠き側端部Ｅｄ１が、外側部Ｗ１を有する点が異なる。また、保護シート３０Ｂの形状は、保護シート３０の形状と異なる。また、保護シート３０Ｂの切り欠きＶ１の一部は、平面視（ＸＹ面）において、表示モジュール１００の外郭の外側に存在する。保護シート３０Ｂのそれ以外の構成は、保護シート３０と同様なので詳細な説明は繰り返さない。
【０１１１】
以下においては、切り欠きＶ１に接する、保護シート３０Ｂの端部を、「切り欠き側端部Ｅｄ１」ともいう。切り欠き側端部Ｅｄ１は、平面視（ＸＹ面）において、保護シート３０Ｂのうち、表示領域Ｒｇ１と重ならない部分に存在する。外側部Ｗ１は、切り欠き側端部Ｅｄ１の一部である。すなわち、保護シート３０Ｂの切り欠き側端部Ｅｄ１は、外側部Ｗ１を有する。
【０１１２】
なお、図８は、一例として、保護シート３０Ｂに存在する２つの切り欠き側端部Ｅｄ１の各々が、２個の外側部Ｗ１を有する状態を示す。すなわち、図８は、保護シート３０Ｂが、４個の外側部Ｗ１を有する状態を示す。
【０１１３】
また、図８は、一例として、各外側部Ｗ１の一部に、粘着テープ４が貼り付けられている状態を示す。なお、各外側部Ｗ１全体に、粘着テープ４が貼り付けられてもよい。
【０１１４】
また、表示装置２００Ｂでは、平面視（ＸＹ面）において、保護シート３０Ｂにより、表示モジュール１００の表示領域Ｒｇ１および周辺領域Ｒｇ２が覆われている。
【０１１５】
以上説明したように、本実施の形態の変形例２によれば、保護シート３０Ｂの切り欠き側端部Ｅｄ１は、平面視（ＸＹ面）において、表示モジュール１００の外郭よりも外側に存在する外側部Ｗ１を有する。そのため、保護シート３０Ｂの外側部Ｗ１に粘着テープ４を貼り付けることにより、表示モジュール１００の前面意匠部材の全領域を、保護シート３０Ｂおよび粘着テープ４で覆うことができる。その結果、表示モジュール１００の前面意匠部材を、より確実に保護することができる。
【０１１６】
なお、外側部Ｗ１の形状は、図８で示した形状に限定されず、他の形状であってもよい。また、保護シート３０Ｂに存在する外側部Ｗ１の数は、４に限定されず、１から３、または、５以上であってもよい。
【０１１７】
＜実施の形態１の変形例３＞
本実施の形態の変形例３の構成は、前述の構成Ｃｔ１Ａと、前述の構成Ｃｔ１Ｂとを組み合わせた構成（以下、「構成Ｃｔ１Ａｂ」ともいう）である。以下においては、構成Ｃｔ１Ａｂを有する表示装置を、「表示装置２００Ａｂ」ともいう。表示装置２００Ａｂは、表示装置２００と比較して、保護シート３０の代わりに保護シート３０Ａｂを備える点が異なる。表示装置２００Ａｂのそれ以外の構成は、表示装置２００と同様なので詳細な説明は繰り返さない。
【０１１８】
図９は、本発明の実施の形態１の変形例３に係る表示装置２００Ａｂを示す平面図である。なお、図９は、表示モジュール１００の外郭を、点線で示している。
【０１１９】
保護シート３０Ａｂは、図８の保護シート３０Ｂと比較して、切り欠き側端部Ｅｄ１が、目印部Ｘ１を有する点が異なる。保護シート３０Ａｂのそれ以外の構成は、保護シート３０Ｂと同様なので詳細な説明は繰り返さない。
【０１２０】
以下においては、切り欠きＶ１に接する、保護シート３０Ａｂの端部を、「切り欠き側端部Ｅｄ１」ともいう。切り欠き側端部Ｅｄ１は、平面視（ＸＹ面）において、保護シート３０Ａｂのうち、表示領域Ｒｇ１と重ならない部分に存在する。
【０１２１】
なお、図９は、一例として、保護シート３０Ａｂに存在する２つの切り欠き側端部Ｅｄ１の各々が、２個の目印部Ｘ１と、２個の外側部Ｗ１とを有する状態を示す。なお、図９に示される各目印部Ｘ１の一部は、外側部Ｗ１でもある。
【０１２２】
目印部Ｘ１および外側部Ｗ１の各々の構成は、前述した構成と同様である。なお、表示装置２００Ａｂでは、平面視（ＸＹ面）において、保護シート３０Ａｂにより、表示モジュール１００の表示領域Ｒｇ１および周辺領域Ｒｇ２が覆われている。
【０１２３】
以上説明したように、本実施の形態の変形例３によれば、前述の構成Ｃｔ１Ａの効果、および、前述の構成Ｃｔ１Ｂの効果が得られる。すなわち、表示装置２００Ａｂの製造過程において、作業者は、粘着テープ４を、保護シート３０Ａｂの切り欠き側端部Ｅｄ１に、容易に貼り付けることができる。また、保護シート３０Ａｂの目印部Ｘ１および外側部Ｗ１に粘着テープ４を貼り付けることにより、表示モジュール１００の前面意匠部材の全領域を、保護シート３０Ａｂおよび粘着テープ４で覆うことができる。その結果、表示モジュール１００の前面意匠部材を、より確実に保護することができる。
【０１２４】
＜実施の形態２＞
本実施の形態の構成は、保護シートの一部を利用した構成（以下、「構成Ｃｔ２」ともいう）である。以下においては、構成Ｃｔ２を有する表示装置を、「表示装置２００Ｃ」ともいう。表示装置２００Ｃは、図４の表示装置２００と比較して、保護シート３０の代わりに保護シート３０Ｃを備える点が異なる。表示装置２００Ｃのそれ以外の構成は、表示装置２００と同様なので詳細な説明は繰り返さない。
【０１２５】
図１０は、本発明の実施の形態２に係る表示装置２００Ｃの構成を示す図である。図１０（ａ）は、本発明の実施の形態２に係る表示装置２００Ｃの平面図である。図１０（ａ）は、表示装置２００Ｃの構成を分かり易くするために、表示モジュール１００の外郭を、点線で示している。図１０（ｂ）は、図１０（ａ）のＢ１−Ｂ２線に沿った表示装置２００Ｃの断面図である。
【０１２６】
保護シート３０Ｃは、図４の保護シート３０と比較して、切り欠きＶ１の代わりに保持部Ｈｄを有する点が異なる。また、平面視（ＸＹ面）における保護シート３０Ｃのサイズは、平面視（ＸＹ面）における保護シート３０のサイズより大きい。保護シート３０Ｃのそれ以外の構成は、保護シート３０と同様なので詳細な説明は繰り返さない。
【０１２７】
平面視（ＸＹ面）における保護シート３０Ｃの形状は、矩形である。また、一例として、平面視（ＸＹ面）における保護シート３０ＣのＸ軸方向のサイズは、平面視（ＸＹ面）における表示モジュール１００のＸ軸方向のサイズより大きい。
【０１２８】
保護シート３０Ｃは、一例として、２個の保持部Ｈｄを有する。各保持部Ｈｄは、保護シート３０Ｃの周縁部の一部である。すなわち、保護シート３０Ｃの周縁部には、各保持部Ｈｄが存在する。各保持部Ｈｄは、平面視（ＸＹ面）において、保護シート３０Ｃのうち、表示領域Ｒｇ１と重ならない部分に存在する。
【０１２９】
保護シート３０Ｃの２個の保持部Ｈｄは、Ｘ軸方向において、対向する。また、保護シート３０Ｃは、主面３０Ｃａと、裏面３０Ｃｂとを有する。
【０１３０】
以下においては、保護シート３０Ｃに保持部Ｈｄが存在しない当該保護シート３０Ｃを、「保護シート３０ＣＮ」ともいう。保護シート３０ＣＮの周縁部に、例えば、図１０（ａ）の線分ＣＬ１に沿った切込みが形成されることにより、保持部Ｈｄは生成される。
【０１３１】
保持部Ｈｄの形状は、半円状である。以下においては、保持部Ｈｄの先端部を、「保持先端部」ともいう。
【０１３２】
保持先端部が、線分ＣＬ２を回転軸として、回転自在なように、保持部Ｈｄは構成される。図１０（ａ）および図１０（ｂ）は、保持先端部が、保護シート３０Ｃの裏面３０Ｃｂ側に存在する状態を示す。以下においては、保護シート３０Ｃの各保持先端部が、保護シート３０Ｃの裏面３０Ｃｂ側に存在する状態を、「裏面突出状態」ともいう。作業者が、保護シート３０Ｃの各保持先端部を、裏面３０Ｃｂ側へ押すことにより、保護シート３０Ｃの状態は、裏面突出状態になる。
【０１３３】
また、図１０（ｂ）は、裏面突出状態において、保護シート３０Ｃの２個の保持部Ｈｄの先端部により、表示モジュール１００の側面が保持されている（挟まれている）状態を示す。
【０１３４】
また、保護シート３０Ｃの２個の保持部Ｈｄは、裏面突出状態における当該２個の保持部Ｈｄの先端部で表示モジュール１００を挟むことが可能な、当該保護シート３０Ｃ内の領域に設けられる。
【０１３５】
表示装置２００Ｃの製造過程において、作業者は、保護シート３０Ｃの状態が、裏面突出状態になるように、保護シート３０Ｃの各保持先端部を、裏面３０Ｃｂ側へ押す。そして、作業者は、保護シート３０Ｃの２個の保持部Ｈｄの先端部により、表示モジュール１００の側面が保持されるように、保護シート３０Ｃを、表示モジュール１００に固定する。これにより、図１０（ｂ）のように、保護シート３０Ｃの２個の保持部Ｈｄの先端部は、表示モジュール１００の側面を保持する。すなわち、保護シート３０Ｃの各保持部Ｈｄは、表示モジュール１００の側面を保持する。この場合、平面視（ＸＹ面）において保護シート３０Ｃが表示領域Ｒｇ１および周辺領域Ｒｇ２を覆う。すなわち、表示装置２００Ｃでは、平面視（ＸＹ面）において、保護シート３０Ｃにより、表示モジュール１００の表示領域Ｒｇ１および周辺領域Ｒｇ２が覆われている。
【０１３６】
以下においては、平面視（ＸＹ面）において保護シート３０Ｃが表示領域Ｒｇ１および周辺領域Ｒｇ２を覆うように、当該保護シート３０Ｃを表示モジュール１００に固定するための、当該保護シート３０Ｃに存在する構成または部材を、「固定部」ともいう。本実施の形態では、固定部は、保持部Ｈｄである。すなわち、保護シート３０Ｃの周縁部には、固定部（保持部Ｈｄ）が存在する。
【０１３７】
以上説明したように、本実施の形態によれば、保護シート３０Ｃは、当該保護シート３０Ｃの周縁部の一部である各保持部Ｈｄを有する。当該各保持部Ｈｄは、表示モジュール１００の側面を保持する。
【０１３８】
これにより、実施の形態１、実施の形態１の変形例１から３等のように、粘着テープを使用することなく、保護シート３０Ｃを、表示モジュール１００に固定することができる。そのため、表示装置２００Ｃの製造コストを低減することができる。
【０１３９】
また、保護シート３０Ｃの保持部Ｈｄは、保護シート３０ＣＮに線分ＣＬ１に沿った切込み形成することにより、生成される。そのため、保護シート３０Ｃを製造する際の加工の難度は、保持部Ｈｄが存在しない従来の、矩形の保護シートを製造する際の加工の難度と同等である。そのため、当該従来の保護シートの製造コストと同等のコストで、保護シート３０Ｃを製造することができる。
【０１４０】
なお、本実施の形態では、保護シート３０Ｃの２個の保持部Ｈｄが対向する方向は、Ｘ軸方向としたが、これに限定されない。保護シート３０Ｃの２個の保持部Ｈｄが対向する方向は、例えば、Ｙ軸方向であってもよい。
【０１４１】
以下においては、対向する２個の保持部Ｈｄを、「対向保持構造」という。また、以下においては、裏面突出状態において、対向する２個の保持部Ｈｄの先端部の間隔を、「間隔Ｄ１」ともいう。間隔Ｄ１は、表示モジュール１００のうち、裏面突出状態であり、かつ、対向する２個の保持部Ｈｄにより挟まれる部分の長さである。例えば、間隔Ｄ１は、図１０（ｂ）の表示モジュール１００のＸ軸方向の長さである。
【０１４２】
本実施の形態では、保護シート３０Ｃは、１個の対向保持構造を有するとしたがこれに限定されない。１つの保護シート３０Ｃが、間隔Ｄ１が異なる複数種類の対向保持構造を有する構成としてもよい。当該構成によれば、間隔Ｄ１が異なる複数種類の表示モジュール１００に対して、当該１つの保護シート３０Ｃを、共通して使用することができる。そのため、間隔Ｄ１が異なる保護シートを複数用意する場合よりも、コストを低減することができる。
【０１４３】
なお、保持部Ｈｄの形状は、半円状に限定されない。保護シート３０Ｃを表示モジュール１００に固定しやすい形状であれば、保持部Ｈｄの形状は、半円状以外の形状であってもよい。
【０１４４】
また、保護シート３０Ｃに存在する保持部Ｈｄの数は、２に限定されず、３以上であってもよい。保護シート３０Ｃに存在する保持部Ｈｄの位置は、図１０に示す位置に限定されず、他の位置であってもよい。例えば、保護シート３０Ｃは、Ｙ軸方向において対向する２個の保持部Ｈｄを有してもよい。
【０１４５】
また、保護シート３０Ｃの線分ＣＬ２に、ミシン目を設けてもよい。これにより、作業者は、保護シート３０Ｃの各保持先端部を、裏面３０Ｃｂ側へ容易に押すことができる。そのため、作業者の作業性を向上させることができる。なお、保護シート３０Ｃにミシン目を設ける場合においても、従来と同等のコストで、保護シート３０Ｃを製造することができる。
【０１４６】
なお、本発明は、その発明の範囲内において、各実施の形態、実施の形態の変形例を自由に組み合わせたり、各実施の形態、実施の形態の変形例を適宜、変形、省略することが可能である。
【符号の説明】
【０１４７】
４  粘着テープ、５  光源装置、１１  表示パネル、１２  保護板、３０，３０Ａ，３０Ａｂ，３０Ｂ，３０Ｃ  保護シート、２００，２００Ａ，２００Ａｂ，２００Ｂ，２００Ｃ  表示装置、１００  表示モジュール、Ｈｄ  保持部、Ｒｇ１  表示領域、Ｒｇ２  周辺領域。
【図１】
2018072661.tif 000003
【図２】
2018072661.tif 000004
【図３】
2018072661.tif 000005
【図４】
2018072661.tif 000006
【図５】
2018072661.tif 000007
【図６】
2018072661.tif 000008
【図７】
2018072661.tif 000009
【図８】
2018072661.tif 000010
【図９】
2018072661.tif 000011
【図１０】
2018072661.tif 000012